(57)【要約】【課題】遊技台の扉の開閉等にも支障を生じさせることがなく、必要時のみ、利用者に見やすい角度位置にモニターを回動させることのできる台間表示装置を提供する。【解決手段】遊技台の台間に設置され、各種情報を提供するための台間表示装置において、前記台間に設けられた基体１０に対して回動自在に取り付けられたモニター３と、このモニター３を基体１０に対して回動させる回動手段５と、この回動手段５によるモニター３の回動を制御する制御手段とを備え、前記制御手段は、前記遊技台の利用時にはモニター３を利用者側に回動させてモニター３を前記利用者の見やすい位置に固定し、前記遊技台の非利用時には、モニター３を基体１０側に格納するように構成した。【選択図】      図１
2004298480.tif 000002
【特許請求の範囲】
【請求項１】
遊技台の台間に設置され、各種情報を利用者に提供するための台間表示装置において、
前記台間に設けられた基体に対して回動自在に取り付けられたモニターと、
このモニターを前記基体に対して回動させる回動手段と、
この回動手段による前記モニターの回動を制御する制御手段とを備え、
前記制御手段は、前記遊技台の非利用時には、前記モニターを前記基体側に格納すること、
を特徴とする遊技台の台間表示装置。
【請求項２】
前記制御手段は、前記遊技台の利用時に、前記モニターを前記利用者側に回動させて前記モニターを前記利用者の見やすい位置に固定することを特徴とする請求項１に記載の遊技台の台間表示装置。
【請求項３】
前記モニターの回動角度を調整自在にし、任意の角度位置で前記モニターを固定することを特徴とする請求項１又は２に記載の遊技台の台間表示装置。
【請求項４】
前記制御手段は、前記遊技台の利用又は非利用を、前記遊技台の利用を許可する媒体の有無によって判断することを特徴とする請求項１〜３のいずれかに記載の遊技台の台間表示装置。
【請求項５】
前記媒体が、特定の利用者に付与され、前記遊技台のカード挿入部に挿し込む会員カードであることを特徴とする請求項４に記載の遊技台の台間表示装置。
【請求項６】
前記制御手段は、ホールコンピュータの指令に基づいて前記モニターの回動を制御することを特徴とする請求項１〜５のいずれかに記載の遊技台の台間表示装置。
【請求項７】
前記モニターに干渉する可能性のある前記遊技台の構成部材を予め特定し、前記構成部材の少なくとも一つを移動させる際に、前記制御手段が、前記モニターを前記基体側に格納するように指令を出力することを特徴とする請求項１〜６のいずれかに記載の遊技台の台間表示装置。
【請求項８】
前記基体に前記モニターの格納部が形成され、前記モニターが前記格納部に格納されたときに、前記基体の表面と前記モニターとが実質的に面一になるように、前記モニターを回動させることを特徴とする請求項１〜７のいずれかに記載の遊技台の台間表示装置。
【請求項９】
前記回動手段が、前記モニターを前記基体に回動自在に支持する軸体と、前記モニター又は前記軸体に設けられた歯車と、この歯車を回転させる駆動体とを有することを特徴とする請求項１〜８のいずれかに記載の遊技台の台間表示装置。
【請求項１０】
前記回動手段が、前記モニターを前記基体に回動自在に支持する軸体と、前記モニターを少なくとも格納方向に回動させるための駆動体と、この駆動体を前記軸体とを連結するリンク機構とを有することを特徴とする請求項１〜８のいずれかに記載の遊技台の台間表示装置。
【請求項１１】
前記遊技台が、パチンコ機，スロットマシン，ゲーム機のいずれかであることを特徴とする請求項１〜１０のいずれかに記載の遊技台の台間表示装置。
【発明の詳細な説明】
【０００１】
【発明が属する技術分野】
本発明は、パチンコ機やスロットマシン，ゲーム機等の遊技台を有する遊技場に設けられ、遊技場が提供する遊技情報や各種のテレビ放送局等により送られる情報を、隣接する前記遊技台間に設けられた台間表示装置のモニターを通して利用者に提供する台間表示装置に関する。
【０００２】
【従来の技術】
隣接するパチンコ機やスロットマシン，ゲーム機等の遊技台の台間に設けられ、遊技場が提供する遊技情報や各種のテレビ放送局等により送られる情報をモニターに表示する台間表示装置が知られている（例えば、特許文献１，２参照）。
【０００３】
【特許文献１】
特開平９−３２７５７１号
【特許文献２】
特開平９−１９２３３９号
【０００４】
これらの文献に記載の台間表示装置は、遊技台と遊技台との間の球貸機の前面パネル上に、各種の情報を表示するためのモニターを備えているとともに、利用者が遊技しながらモニターを見られるように、パチンコ機等の遊技台の前面から利用者側に突き出していて、かつ、利用者側に傾斜しているものである。
図６は、台間機にモニターを傾斜させて設けた従来の台間表示装置の一例を示す図である。
球貸機等の台間機Ｓ１，Ｓ２，Ｓ３・・・はパチンコ機等の遊技台Ｍ１，Ｍ２，Ｍ３・・・の間に設けられている。台間表示機は、この台間機Ｓ１，Ｓ２，Ｓ３・・・のそれぞれに設けられていて、モニター１０１，１０２，１０３・・・が利用者Ｐ側に傾斜している。
【０００５】
しかし、上記の台間表示装置は、遊技台Ｍ１，Ｍ２，Ｍ３・・・の台間にモニター１０１，１０２，１０３・・・を固定的に設けているため、利用者Ｐの最適な角度位置にモニター１０１，１０２，１０３・・・を調整することができず、遊技中の視認性が悪いという問題がある。また、利用者Ｐの視認性に最適な角度位置にモニター１０１，１０２，１０３・・・を取り付けようとすると、遊技台Ｍ１，Ｍ２，Ｍ３・・・の台間が広くなって、遊技場に設置できる遊技台Ｍ１，Ｍ２，Ｍ３・・・の数が少なくなるという問題がある。
【０００６】
そのため、台間表示装置の中には、限られた台間機のスペース間で利用者に対する視認性を向上させるために、モニターを台間機に取り付けた本体に対して折り畳み可能又は角度位置調整可能としたものが提案されている（例えば、特許文献３参照）。
【０００７】
【特許文献３】
特開平１１−２３９６６２号
【０００８】
図７は、上記文献に記載された台間表示装置の概略を示す図で、台間機Ｓ１，Ｓ２，Ｓ３・・・に対してモニター２０１，２０２，２０３・・・を角度位置調整可能に設けている。
しかし、この文献に記載された台間表示装置においても、角度位置を所望の位置に調整した後の確実な固定が困難で、かつ、操作性が悪いという欠点がある。また、スイッチ等を有する操作面を台間機Ｓ１，Ｓ２，Ｓ３・・・に固定し、モニター２０１，２０２，２０３・・・だけを利用者Ｐ側に回動可能にしたものも知られているが、このようにモニター２０１，２０２，２０３・・・だけを利用者Ｐ側に回動させる台間表示装置は、操作性が悪いという欠点がある。
さらに、図７に示すようなモニター２０１，２０２，２０３・・・を回動可能としたものは、モニター２０１，２０２，２０３・・・を利用者Ｐ側に回動させた状態で遊技台Ｍ１，Ｍ２，Ｍ３・・・の扉Ｍａ等の開閉を行うと、モニター２０１，２０２，２０３・・・に遊技台Ｍ１，Ｍ２，Ｍ３・・・の扉Ｍａ等がぶつかり、台間表示装置が故障したり破損したりする原因となる。
【０００９】
また、遊技台（例えば、遊技台Ｍ１）が非稼働状態であっても、モニター２０１が利用者Ｐ側に回動した状態のままであると、利用者Ｐが一時的に席を外しているだけのように見え、当該遊技台Ｍ１が空き台と思えない場合がある。さらに、空き台であることが明らかであっても、利用者側にモニター２０１が回動したままの状態であると、席に着くのにモニター２０１が邪魔になり、利用者Ｐの気分を損なうという問題もある。
なお、遊技台Ｍ１，Ｍ２，Ｍ３・・・の扉Ｍａ等を開閉させても、モニター２０１，２０２，２０３・・・が扉Ｍａの開閉方向と同方向に回動することで、台間表示装置の故障や破損を防止した台間表示装置も知られている（例えば特許文献４参照）。
【００１０】
【特許文献４】
特開平１１−４９５２号
【００１１】
しかし、この文献に記載の台間表示装置は、遊技台の扉を開閉するたびにモニターが隣の遊技台の領域に侵入することになり、隣の遊技台の利用者の邪魔になるおそれがあるという問題がある。
また、この文献に記載の台間表示装置によっても、上記した他の問題点は依然として解決することができない。
【００１２】
【発明が解決しようとする課題】
本発明は、上記したような従来の問題点を一挙に解消するためになされたもので、遊技場における遊技台の台間に設けられた台間表示装置において、遊技台の扉の開閉等にも支障を生じさせることがなく、モニターの不要時にはモニターを格納状態にし、必要時のみ、利用者に見やすい角度位置にモニターを回動させることのできる台間表示装置の提供を目的とする。
【００１３】
【課題を達成するための手段】
上記目的を達成するために、請求項１に記載の発明は、遊技台の台間に設置され、各種情報を利用者に提供するための台間表示装置において、前記台間に設けられた基体に対して回動自在に取り付けられたモニターと、このモニターを前記基体に対して回動させる回動手段と、この回動手段による前記モニターの回動を制御する制御手段とを備え、前記制御手段は、前記遊技台の非利用時には、前記モニターを前記基体側に格納するように構成してある。
【００１４】
このようにすることで、遊技台を停止させて保守等を行う際には、保守作業の邪魔にならない位置にモニターを格納することができる。
また、遊技台の非利用時にはモニターは格納状態であるので、当該遊技台が空き状態なのかどうかを容易に判断することができる。
請求項２に記載の発明は、前記制御手段は、前記遊技台の利用時に、前記モニターを前記利用者側に回動させて前記モニターを前記利用者の見やすい位置に固定するように構成してある。
このようにすることで、遊技台の利用時には、利用者に見やすい角度位置にモニターを固定することができる。
【００１５】
請求項３に記載の発明は、前記モニターの回動角度を調整自在にし、任意の角度位置で前記モニターを固定できるように構成してある。
この構成によれば、利用者にとって最も見やすい角度位置に前記モニターを固定することが可能になる。
請求項４に記載の発明は、前記制御手段は、前記遊技台の利用又は非利用を、前記遊技台の利用を許可する媒体の有無によって判断するように構成してある。
前記媒体としては、コイン，硬貨、紙幣等であってもよいが、請求項５に記載するように、プリペイドカードや会員カード等のカードであってもよい。
そして、利用者がカードやコイン，硬貨、紙幣等を挿入して遊技台を使用しようとするときに、前記制御装置がこれら媒体の挿入を検出して、前記モニターを利用者の見やすい角度位置に回動させ、ゲームが終了したときやカードが引き抜かれたときには、前記制御装置がゲームの終了やカードの引き抜きを検出して、モニターを格納するように回動させることができる。
なお、前記媒体を特定の会員カードとすることで、会員の優位性を高めることができ、会員カードの利用度を向上させることができるとともに、会員カードの抜き忘れも防止することができる。
【００１６】
また、制御手段は、請求項６に記載するように、ホールコンピュータの指令に基づいて前記モニターの回動を制御するものであってもよい。
例えば、閉店時には、ホールコンピュータの指令により、制御手段がモニターを回動させて格納する。
【００１７】
請求項７に記載の発明は、前記モニターに干渉する可能性のある前記遊技台の構成部材を予め特定し、前記構成部材の少なくとも一つを移動させる際に、制御手段が、前記モニターを前記基体側に格納するように指令を出力する構成としてある。
前記構成部材としては、遊技台の前面に開閉自在に設けられた扉や、ガラス窓を挙げることができる。
また、格納時には、請求項８に記載するように、前記基体に前記モニターの格納部が形成され、前記基体の表面と実質的に面一になるように、前記モニターが前記格納部に収納されるようにするとよい。
【００１８】
請求項９に記載の発明は、前記回動手段が、前記モニターを前記基体に回動自在に支持する軸体と、前記モニター又は前記軸体に設けられた歯車と、この歯車を回転させる駆動体とを有する構成としてある。また、請求項１０に記載するように、前記回動手段が、前記モニターを前記基体に回動自在に支持する軸体と、前記モニターを少なくとも格納方向に回動させるための駆動体と、この駆動体を前記軸体とを連結するリンク機構とを有する構成としてもよい。
本発明は、請求項１１に記載のパチンコ機，スロットマシン，ゲーム機に適用することができる。
【００１９】
【発明の実施の形態】
本発明の好適な実施形態を、図面を参照しながら詳細に説明する。
［第一の実施形態］
図１は、本発明の第一の実施形態の台間表示装置にかかり、（ａ）はその全体構成を説明するための正面図、（ｂ）は（ａ）の回動機構部を矢印Ｉ方向から見た部分拡大図、図２は、この第一の実施形態の台間表示装置を有する台間機の斜視図で、（ａ）は台間表示装置を台間機側に格納した状態を、（ｂ）は台間表示装置を利用者側に回動させた状態を示している。
【００２０】
図１（ａ）に示すように、台間表示装置１は、筐体２と、この筐体２に設けられた各種情報を表示するためのモニター３と、筐体２に設けられ、モニター３に表示する情報の選択やモニター３のＯＮ／ＯＦＦ等を選択するための操作スイッチ４１を複数有するスイッチパネル４とを有している。
台間機Ｓに設けられた基体１０には、台間表示装置１を格納するための凹状の格納部１０ａが形成されている。台間表示装置１の筐体２は、この基体１０に回動自在に取り付けられている。そして、筐体２が格納部１０ａに格納された格納位置と、格納部１０ａから利用者側に回動して利用可能な状態となった利用位置との間で回動できるようになっている。
【００２１】
筐体２を回動自在にする回動機構部５は、両端を基体１０によって支持された回転自在な回転軸５４と、この回転軸５４の一端（図１の例では上端）に取り付けられた平歯車５３と、この平歯車５３に噛合するウォームギヤ５２と、このウォームギヤ５２を回転させるモータ５１とから概略構成されている。
モータ５１は、正逆回転可能な駆動軸を有している。そして、このモータ５１が駆動することによって、前記駆動軸の回転がウォームギヤ５２を介して平歯車５３に伝達させ、回転軸５４を回転させる。これにより、モニター３が筐体２とともに格納位置と利用位置との間を回動する。
この実施形態では、ウォームギヤ５２を介してモータ５１の駆動を回転軸５４の平歯車５３に伝達するようにしているので、モニター３を所定の角度位置で位置決めして停止させると、モニター３を容易に回動させることができなくなり、固定性に優れるという利点がある。
【００２２】
モータ５１の駆動による筐体２の回動は、スイッチパネル４の開スイッチ４ａ又は閉スイッチ４ｂを操作することによって行うことができる。開スイッチ４ａを操作することで、モータ５１を駆動させて回転軸５４を正転させ、モニター３を筐体２とともに格納部１０ａから利用者側に回動させることができ、閉スイッチ４ｂを操作することで、モータ５１を駆動させて回転軸５４を逆転させ、モニター３を筐体２とともに利用者側から格納部１０ａ側に回動させることができる。
【００２３】
開スイッチ４ａ及び閉スイッチ４ｂの操作によるモータ５１の駆動は、利用者が開スイッチ４ａ又は閉スイッチ４ｂを操作し続けている時間だけ、モータ５１を駆動させるように設定することも可能であるが、一回の操作で、予め設定された角度分だけ回転軸５４を回転させるようにモータ５１を駆動させるように設定することも可能である。
前者の場合は、開スイッチ４ａ及び閉スイッチ４ｂを適宜に操作することで、利用者が自らの好みの角度位置にモニター３を調整して停止させることができるという利点がある。
【００２４】
図２に示すように、この実施形態の台間機Ｓは、金額に応じた個数の玉又はコインを利用者に貸す球貸機（以下、球貸機Ｓと記載する）である。
この球貸機Ｓは、紙幣を挿入する紙幣挿入部Ｓａと、硬貨を挿入する硬貨挿入部Ｓｂと、会員カードＣやプリペイドカード等を挿入するカード挿入部Ｓｃとが設けられている。台間表示装置１を取り付ける基体１０は、球貸機Ｓの正面の途中部位に、利用者側に突出するように設けられている。
【００２５】
台間表示装置１の筐体２を回動させてモニター３を視認しやすい角度位置に位置させるために、利用者が遊技台を利用することを条件としてもよい。
例えば、会員カードＣをカード挿入部Ｓｃに挿入することを条件に、開スイッチ４ａ又は閉スイッチ４ｂを操作することによるモータ５１の駆動を許可するようにすることができる。
このようなモータ５１の駆動の制御は、以下に説明する制御装置８によって制御される。
【００２６】
図３は、この実施形態における制御装置の構成を説明するブロック図、図４は、図３の制御装置によるモータ５１の駆動制御の手順を説明するフローチャートである。
制御装置８は、モータ５１の駆動を制御する制御部８１と、利用者が、会員カードＣ（図２参照）を球貸機Ｓのカード挿入部Ｓｃに挿入したときに、カード挿入部Ｓｃから出力された信号を受信して、検出信号を制御部８１に送信するカード挿入検出部８２と、台間表示装置１の開スイッチ４ａ又は閉スイッチ４ｂが操作されたときに出力された信号を受信して、検出信号を制御部８１に送信する開閉スイッチ操作検出部８３と、遊技台の開閉扉の開閉を検出するリミットスイッチ等から出力された信号を受信して、検出信号を制御部８１に送信する遊技台扉開閉検出部８４と、遊技台の前面に設けられたガラス扉の開閉を検出するリミットスイッチ等から出力された信号を受信して、検出信号を制御部８１に送信するガラス扉開閉検出部８５とを有している。
【００２７】
また、この実施形態の制御装置８は、台間表示装置１の状態、つまり、筐体２が利用者側に回動した状態になっているのか、格納部１０ａに格納されている状態になっているのかを検出する状態検出部８６を有している。状態検出部８６は、筐体２が格納部１０ａに格納されたときに信号を出力するリミットスイッチ等の前記信号を受信し、検出信号を制御部８１に送信して、台間表示装置１の状態を制御部８１に知らせる。
なお、台間表示装置１の状態は、リミットスイッチに限らず、他の検出手段によって検出することが可能である。例えば、モータ５１としてステッピングモータやサーボモータを利用し、モータ５１を駆動させるためのパルス数をカウントすることで、筐体２及びモニター３がどの角度位置にあるのかを判断することができる。
【００２８】
さらに、この制御部８１は、ホールコンピュータＨとも接続されていて、ホールコンピュータＨの指令にしたがってモータ５１を駆動させることが可能である。例えば、閉店後にホールコンピュータＨから閉店指令信号が出力されたときに、制御部８１がモータ５１に駆動指令信号を出力して筐体２を格納するようにしている。
【００２９】
次に、上記の制御装置８によるモータ５１の駆動の制御手順を説明する。
遊技台に電源が投入されると、初期条件の確認が行われる（ステップＳ１１）。ここで、「初期条件」とは、筐体２とともにモニター３を利用者側に所定角度回動させるために必要とされる条件をいい、この実施形態では、遊技台の扉が閉じていること、遊技台の前面のガラス扉が閉じていること、ホールが閉店状態でないことが含まれる。
前記初期条件のうちの一つでもＮＧである場合、例えば、遊技台のガラス扉が開いているような場合には、ガラス扉が閉じられるまでＮＧ状態を保持して待機する。
【００３０】
上記初期条件の全てが満たされていれば（ＯＫであれば）、会員カードＣがカード挿入部Ｓｃに挿入されるまで（ステップＳ１３）、待機する。
会員カードＣがカード挿入部Ｓｃに挿入（ステップＳ１３）された後、開スイッチ４ａが操作されれば、制御部８１がモータ５１に駆動指令信号を出力し、モニター３が筐体２とともに利用者側に回動を開始する。
利用者は、開スイッチ４ａ又は閉スイッチ４ｂを適宜に操作しながら、モニター３を最も視認しやすい角度位置に位置合わせし、停止させる（ステップＳ１５）。これにより、モニター３は当該角度位置でしっかりと固定される。
利用者が遊技台を使用している途中で、遊技台の扉が開かれたり、ガラス扉が開かれたり、会員カードが引き抜かれれば（ステップＳ１６，Ｓ１７，１８，Ｓ１９）、制御部８１からモータ５１に駆動指令が出力され、モニター３は筐体２とともに格納位置まで回動する（ステップＳ２０）。
【００３１】
次に、本発明の第二の実施形態について、図５を参照しながら説明する。
本発明においては、会員カードを引き抜いたとき等に、自動的にモニター３が格納されれば、目的を達成することができる。以下に説明する第二の実施形態では、利用者が遊技台を利用するときにはモニター３を手動操作で回動させて位置合わせを行うが、遊技台の非利用時等には、自動的にモニター３を格納するようにしている。
図５は、本発明の第二の実施形態にかかる台間表示装置にかかり、（ａ）は、その全体構成を説明するための正面図、（ｂ）は（ａ）の回動機構部を矢印ＩＩ方向から見た部分拡大図である。
なお、説明の便宜のため、第一の実施形態の台間表示装置１と同一の部位、同一の部材には同一の符号を付し、詳しい説明は省略する。
【００３２】
この実施形態の台間表示装置１′の回動機構部６は、モニター３を筐体２とともに回動させるための駆動体として、直線方向に進退移動する作動体６１ａを有するソレノイド６１を用いている。
作動体６１ａの進退移動は、リンク機構６２を介して、筐体２を回動自在に基体１０に取り付けている回転軸６４に伝達される。リンク機構６２は、一端をバネ６２ｄで支持され、他端の爪６２ｅが回転軸６４の外周部分に形成されたラチェット状の溝６４ａに係合しているとともに、レバー回転軸６２ｃによって回転自在なレバー６２ａと、このレバー６２ａと作動体６１ａとを連結する連結部材６２ｂとを有している。
【００３３】
また、回転軸６４の他端（図５の例では下端）には、回転軸６４を常時一方向（例えば、モニター３を筐体２とともに格納部１０ａに格納する方向）に付勢するばね６５が設けられている。
さらに、回転軸６４の外周面には、上記したようにラチェット状の溝６４ａが複数刻設してあり、ソレノイド６１の駆動によって、レバー６２ａの先端にある爪６２ｅが溝６４ａに係脱するようになっている。そして、ソレノイド６１が駆動して爪６２ｅと溝６４ａとの係合が解除されると、ばね６５の付勢力によってモニター３が筐体２とともに格納部１０ａに格納される方向に回動する。また、ソレノイド６１の駆動が解除されると、爪６２ｅと溝６４ａとが係合して、前記格納方向への回転軸６４の回転を規制する。
【００３４】
この状態で、利用者は、ばね６５の付勢力に抗して手動で回動させることで、モニター３を見やすい位置に固定することができる。また、ラチェット状の溝６４ａを適宜の数だけ回転軸６４の外周面に形成することで、回転軸６４，筐体２及びモニター３の回動の角度を、手動操作で任意に微調整することができるようになる。
なお、上記したソレノイド６１の駆動指令は、第一の実施形態と同様の制御装置によって出力される。また、この実施形態では、開スイッチ４ａ及び閉スイッチ４ｂの操作は、駆動体であるソレノイド６１の駆動のみを制御する。
【００３５】
本発明の好適な実施形態について説明したが、本発明は上記の実施形態により何ら限定されるものではない。
例えば、上記の説明では、台間表示装置１，１′の筐体２とともにモニター３を利用者側に回動させるようにしているが、モニター３のみを利用者側に回動させるようにすることも可能である。
また、上記の説明では、モニター３を利用者側に回動させるための回動機構部として二つの例を挙げたが、モニター３を利用者側に回動させることができるのであれば、回動機構部を上記のもの限らず、例えば、ラック・ピニオン機構を用いたものやエアシリンダ、回転シリンダを用いたものであってもよい。
【００３６】
【発明の効果】
上記したように、本発明によれば、必要時のみモニターが自動的に利用者側に回動し、それ以外ではモニターが自動的に格納されるので、遊技台の扉やガラス扉の開閉を行う際にモニターに扉等がぶつかるという不都合を無くすことができ、台間表示装置の故障や破損を防止することができる。
また、モニターを利用者の視認性のよい角度位置に調整することができ、かつ、遊技台を使用しないときにはモニターを格納状態にするので、利用者の利便性も向上させることができる。
また、媒体を特定の会員カードとすることで、会員の優位性を高めることができ、会員カードの利用度を向上させることができるとともに、会員カードの抜き忘れも防止することができる。
【図面の簡単な説明】
【図１】本発明の第一の実施形態の台間表示装置にかかり、（ａ）はその全体構成を説明するための正面図、（ｂ）は（ａ）の回動機構部を矢印Ｉ方向から見た部分拡大図である。
【図２】第一の実施形態の台間表示装置を有する台間機（球貸機）の斜視図で、（ａ）は台間表示装置を台間機側に格納した状態を、（ｂ）は台間表示装置を利用者側に回動させた状態を示している。
【図３】第一の実施形態における制御装置の構成を説明するブロック図である。
【図４】図３の制御装置によるモータの駆動制御の手順を説明するフローチャートである。
【図５】本発明の第二の実施形態の台間表示装置にかかり、（ａ）はその全体構成を説明するための正面図、（ｂ）は（ａ）の回動機構部を矢印ＩＩ方向から見た部分拡大図である。
【図６】台間機にモニターを傾斜させて設けた従来の台間表示装置の一例を示す概略図である。
【図７】本発明の他の従来例にかかり、台間機に対してモニターを角度位置調整可能に設けた台間表示装置の概略図である。
【符号の説明】
１，１′  台間表示装置
２  筐体
３  モニター
４    スイッチパネル
４ａ  開スイッチ
４ｂ  閉スイッチ
４１  スイッチ
５  回動機構部（第一の実施形態）
５１  モータ
５２  ウォームギヤ
５３  平歯車
５４  回転軸
６  回動機構部（第二の実施形態）
６１  ソレノイド
６１ａ  作動体
６２  リンク機構
６２ａ  レバー
６２ｂ  連結部材
６２ｃ  レバー回転軸
６２ｄ  ばね
６２ｅ  爪
６４  回転軸
６４ａ  溝
６５  ばね
８  制御装置
【図１】
2004298480.tif 000003
【図２】
2004298480.tif 000004
【図３】
2004298480.tif 000005
【図４】
2004298480.tif 000006
【図５】
2004298480.tif 000007
【図６】
2004298480.tif 000008
【図７】
2004298480.tif 000009